(57)【要約】【課題】本発明は、便鉢の上に便座を被設してなる洋式便器に用いる尿飛散防止用シートに関するものであり、詳しくは、洋式便器が便座を上げた状態で使用される場合に効果的な尿飛散防止用シートを提供する。【解決手段】便鉢の上に便座を被設してなる洋式便器に設置して用いる尿飛散防止用のシートであって、便座裏面及び便鉢上面に装着され、便座を上げた状態において、少なくとも便座と便鉢との連結部を被覆することを特徴とする尿飛散防止用シート。【選択図】　　　　　図１
2004141353.tif 000002
【特許請求の範囲】
【請求項１】
便鉢の上に便座を被設してなる洋式便器に設置して用いる尿飛散防止用のシートであって、便座裏面及び便鉢上面に装着され、便座を上げた状態において、少なくとも便座と便鉢との連結部を被覆することを特徴とする尿飛散防止用シート。
【請求項２】
前記尿飛散防止用シートが、さらに便座裏面カバー部と便鉢上面カバー部とを有し、便座を上げた状態において、前記便座裏面から前記便鉢上面を被覆する形状に成形されてなることを特徴とする請求項１記載の尿飛散防止用シート。
【請求項３】
前記便座裏面カバー部と便鉢上面カバー部とが、便座を下げた状態において、便器前後方向にほぼ同じ長さであることを特徴とする請求項２記載の尿飛散防止用シート。
【請求項４】
前記尿飛散防止用シートが、便器本体に着脱自在であることを特徴とする請求項１乃至３のいずれか一項に記載の尿飛散防止用シート。
【請求項５】
前記尿飛散防止用シートが、防水性及び／又は吸水性を有することを特徴とする請求項１乃至４のいずれか一項に記載の尿飛散防止用シート。
【請求項６】
請求項１乃至５のいずれか一項に記載の尿飛散防止用シートを用いることを特徴とする尿飛散防止方法。
【発明の詳細な説明】
【０００１】
【発明の属する技術分野】
本発明は、便鉢の上に便座を被設してなる洋式便器に用いる尿飛散防止用シートに関するものであり、詳しくは、洋式便器が便座を上げた状態で使用される場合に効果的な尿飛散防止用シートに関する。
【０００２】
【従来の技術】
便鉢の上に便座を被設してなる洋式便器を、立姿勢にて男子小用に使用する場合、尿が便鉢外に飛散し、便器本体や、床などの便器周辺部が汚れてしまうといった問題があった。
【０００３】
そこで、床など便器周辺部への尿の飛散防止を図るものとして、例えば、便座に尿飛散防止カバーを一体成形した便器（特許文献１参照）や、使用者の足の位置を検知するセンサを便器に設置することによって、尿飛散を防止する便器装置が提案されている（特許文献２参照）。
【０００４】
【特許文献１】
特開平８−３３６４８４号
【特許文献２】
特開２００２−１１９４４２
【０００５】
【発明が解決しようとする課題】
しかしながら、上述の便器や便器装置はいずれも、便器や便器装置そのもののコストがかかる上、設置作業が煩雑であり、既存の全ての洋式便器に設置できるものではなかった。また、尿飛散防止カバーは、便器周辺部への尿の飛散は防止できるが、カバーそのものを清掃する必要があり、足位置検知センサは、あらゆる身長の使用者に対して同等の効果を有するものではなかった。
【０００６】
そこで本発明は、上記問題点を解決し、あらゆる形状の洋式便器に簡便に装着できる尿飛散防止用シートおよびそのシートを用いた尿飛散防止方法を提供することを目的とする。
【０００７】
【課題を解決するための手段】
本発明の請求項１の尿飛散防止用シートは、便鉢の上に便座を被設してなる洋式便器に設置して用いる尿飛散防止用のシートであって、便座裏面及び便鉢上面に装着され、便座を上げた状態において、少なくとも便座と便鉢との連結部を被覆することを特徴とする。
【０００８】
このような構成とすることにより、洋式便器を、立姿勢にて男子小用に使用する場合に、便鉢外への尿の飛散を防止して、便器本体や床などの便器周辺部の汚染を防止することができる。また、本発明の尿飛散防止用シートは、既存の洋式便器のサイズ・形状を問わずあらゆる型の洋式便器に、簡便かつ安価に設置することが可能である。
【０００９】
本発明の請求項２の尿飛散防止用シートは、請求項１記載の尿飛散防止用シートにおいて、さらに便座裏面カバー部と便鉢上面カバー部とを有し、便座を上げた状態において、前記便座裏面から前記便鉢上面を被覆する形状に成形されてなることを特徴とする。
【００１０】
このような構成とすることにより、請求項１の構成による上記の効果に加えて、さらに広範囲にわたって便鉢外への尿の飛散を防止できる。
【００１１】
本発明の請求項３の尿飛散防止用シートは、請求項２記載の尿飛散防止用シートにおいて、便座裏面カバー部と便鉢上面カバー部とが、便座を下げた状態において、便器前後方向にほぼ同じ長さであることを特徴とする。
【００１２】
このような構成とすることにより、請求項２の構成による上記の効果に加えて、便座を下げた状態で便器を使用する際に、シートの汚れが他の箇所に付着することを防ぐことができる。
【００１３】
本発明の請求項４の尿飛散防止用シートは、請求項１乃至３記載の尿飛散防止用シートにおいて、便器本体に着脱自在であることを特徴とする。
【００１４】
このような構成とすることにより、請求項１乃至３の構成による上記の効果に加えて、尿飛散防止用シートが着脱自在であるので、汚れたシートを取外して洗浄したり、新しいシートと交換するなど、シートの装着・交換作業を簡便に行うことができる。
【００１５】
本発明の請求項５の尿飛散防止用シートは、請求項１乃至４記載の尿飛散防止用シートにおいて、防水性及び／又は吸水性を有することを特徴とする。
【００１６】
このような構成とすることにより、請求項１乃至４の構成による上記の効果に加えて、さらに便鉢外への尿の飛散を防止でき、より確実に便器本体や床などの便器周辺部の汚染を防止することができる。
【００１７】
本発明の請求項６の尿飛散防止方法は、請求項１乃至５のいずれか一項に記載の尿飛散防止用シートを用いることを特徴とするものである。
【００１８】
請求項６は、請求項１乃至５の構成を方法化したものであり、上述の構成による作用と同等の作用を得ることができる。
【００１９】
【発明の実施の形態】
以下に図面を用いて、本発明をさらに詳細に説明するが、本発明は以下の実施形態に限定されるものではなく、本発明の範囲内で種々変更することが可能である。
【００２０】
図１は、本発明の実施形態の一例であるシート１を洋式便器に装着した状態を示す図である。図２は、本発明の実施形態の一例であるシート１を洋式便器に装着したまま、便座を下げた状態を示す図である。また、図３は、本発明の実施形態の一例であるシート１を示す平面図である。
【００２１】
本実施形態における尿飛散防止用シート１は、図３に示されるように、シート１の上下辺が、便座の形状に沿って凹形状に成形されており、洋式便器１０に装着した際に、上下辺がそれぞれ便座１１及び便鉢１２の円弧形状に沿う形状となっている。また、シート１は、中央部から上方に突出した便座裏面カバー部２，２と、下方に突出した便鉢上面カバー部３，３を有する。便座裏面カバー部２と便鉢上面カバー部３との長手方向の長さは、特に限定されず、便座裏面及び便鉢上面のほぼ全面を覆う形であっても構わない。また、後述するような素材を用いてシートを作成することにより、使用者の必要に応じて、適宜長さを調節することもできる。シート１の汚れが他の箇所に付着することを防ぐためには、便座を下げた状態において、便器前後方向にほぼ同じであることが好ましい。
【００２２】
シート１の幅方向の長さｗは、便器１０の幅方向の長さにほぼ等しく形成されるが、例えば図４に示すように、幅調節部４を設け、便器１０の幅に合わせて幅調節部４を折り曲げて使用することにより、便器のサイズに合わせて調節自在となる。便器１０の幅を超えた幅調節部４は、折り曲げて、例えば両面テープなどでシート１の片面に固着される。また、幅調節部４は、折り曲げて使用するため、シート１の両端が二重となって、便座１１を上げ下げする際にシート１を補強することもできる。
【００２３】
シート１の素材は特に限定されず、例えば、合成樹脂フィルム等の水分を透過しない防水性を有する素材や、不織布等の吸水性を有する素材を用いることができる。シート１の構造は、上記した素材を単独で用いる一層構造としてもよいし、二層以上の複数層を有する構造としても構わない。尿を吸収・保持し、便器周辺部への飛散を確実に防止するためには、例えばシート１を装着した際の便器側を合成樹脂フィルム等の防水性を有する素材とし、便器と接しない外面側を不織布等の吸水性を有する素材とする二層構造とすることが好ましい。尚、本発明のシート１は、以上に例示したような素材を用いて作成することにより、ハサミ等を用いて、簡単にサイズ・形状の調整を行い、多様な型の洋式便器への装着に対応することができる。
【００２４】
次に、本発明のシート１の装着方法を説明する。図３に示すように、シート１の片面の数箇所に接着部材５（５ａ，５ｂ，５ｃ．．．）を設ける。接着部材５を設ける箇所は、特に限定されず、例えば便座裏面カバー部２や便鉢上面カバー部３の先端部、シート１中央の上下の凹部などに適宜設けられる。接着部材５としては、例えば両面テープやマジックテープ（登録商標）などが挙げられる。
【００２５】
シート１の中央部を、洋式便器１０の便座１１を上げた状態で、便座１１と便鉢１２の形状に沿うかたちで、便器後方（タンク側）の便座１１と便鉢１２の連結部を被覆するように当接し、シート１中央の上下の凹部に設けられた接着部材５ａ，５ａによって、便座１１の裏面及び便鉢１２の上面にシート１中央部を接着する。次に、便座裏面カバー部２をその先端に設けられた接着部材５ｂ，５ｂで便座１１の裏面に、便鉢上面カバー部３をその先端に設けられた接着部材５ｃ，５ｃで便鉢１２の上面に、それぞれ接着する。このようにして、シート１によって、便座１１と便鉢１２との連結部、並びに、便座１１の裏面及び便鉢１２の上面の一部が被覆された状態となる。
【００２６】
洋式便器を立姿勢にて男子小用に使用する場合、便器後方にある便座１１と便鉢１２との連結部周辺への尿の飛散率が特に高く、多量の尿が連結部に飛散した場合、連結部から便器裏側への流出して便器後方側面及び便器周辺の床まで汚染してしまう。本発明のシート１は、尿飛散率の高い連結部を被覆することにより、上述の尿の飛散及び流出を防止し、便器側面及び便器周辺部の汚れを防止する。また、連結部周辺の便座裏面及び便鉢上面をもシート１によって被覆することにより、上述の汚れ防止をより確実なものとする。
【００２７】
また、図２に示すとおり、本発明の尿飛散防止用シート１を装着した便器１０は、便座を下げた状態では、通常の洋式便器と変わらない状態で使用することができ、シート１の装着により便座を下げた状態での使用時に、違和感・不快感が与えられるといったことはない。また、シートの装着に特別な空間を必要とするものでもなく、外観上も特に変化なく使用できる。
【００２８】
【発明の効果】
本発明の尿飛散防止用シートは、洋式便器を立姿勢にて男子小用に使用する場合に、便鉢外への尿の飛散を防止して、便器本体や床などの便器周辺部の汚染を防止することができ、既存の洋式便器のサイズ・形状を問わず、あらゆる型の洋式便器に、簡便かつ安価に装着することが可能なシートである。また、本発明の尿飛散防止用シートは、便座を下げた状態での洋式便器の使用を何ら阻害せず、便座を下げた状態での使用は、通常の使用と全く同様に行うことができる。
【００２９】
さらに、便器本体への装着に、着脱自在な接着部材を用いるため、容易にシートの交換作業を行うことができる。
【００３０】
【図面の簡単な説明】
【図１】図１は、本発明の実施形態の一例である尿飛散防止用シートを洋式便器に装着した状態を示す図である。
【図２】図２は、本発明の実施形態の一例である尿飛散防止用シートを洋式便器に装着したまま、便座を下げた状態を示す図である。
【図３】図３は、本発明の実施形態の一例であるシートを示す平面図である。
【図４】図４は，本発明の別実施形態のシートを示す平面図である。
【符号の説明】
１　シート
２　便座裏面カバー部
３　便鉢上面カバー部
４　幅調節部
５　接着部材
１０　便器
１１　便座
１２　便鉢
【図１】
2004141353.tif 000003
【図２】
2004141353.tif 000004
【図３】
2004141353.tif 000005
【図４】
2004141353.tif 000006